(57)【要約】      （修正有）【課題】気流集中管を具えたイヤフォン装置を提供する。【解決手段】環状磁石２０と第１ヨーク３０と第２ヨークと気流集中管５０とスピーカーアセンブリと受動振動板７０と、を含む気流集中管を具えたイヤフォン装置であって、第１ヨークと第２ヨークは、各々環状磁石の第１磁極面２３及び第２磁極面２５に連接する。気流集中管は、環状磁石の中央貫通孔２１内に収納され、第１開口端５１と第２開口端５３とを含む。スピーカーアセンブリは、ボイスコイル６１と能動振動板６３とを含み、能動振動板と受動振動板が各々気流集中管の軸方向両端に位置し、能動振動板が第１開口端に近く、受動振動板が第２開口端に近い。能動振動板で発生した気流が気流集中管を経由して集中した後で受動振動板の振動を押動させる。受動振動板で発生した気流は、更に気流集中管を経由して逆方向に音波を伝達し、また能動振動板を押動することで、音の解析品質及び周波数アップの効果を奏する。【選択図】図３
0003205787.tif 000002
【実用新案登録請求の範囲】
【請求項１】
中央貫通孔と第１磁極面と第２磁極面とを含み、前記第１磁極面と前記第２磁極面が異なる磁性を持ち、各々環状磁石の対向する両側に位置する環状磁石と、
前記環状磁石の前記第１磁極面に連接し、中央穴が開設されており、前記中央穴が同軸的に前記中央貫通孔に対応する第１ヨークと、
天板と外周壁とを含み、前記天板が前記環状磁石の前記第２磁極面に連接し、前記天板が中央開口部を備え、前記中央開口部が同軸的に前記中央貫通孔に対応し、前記外周壁環が前記天板の外周縁に周設される第２ヨークと、
前記環状磁石の前記中央貫通孔内に収納され、第１開口端と第２開口端とを含む気流集中管と、
ボイスコイルと能動振動板とを含み、前記ボイスコイルが前記能動振動板上に構設され、軸方向に対応して前記第１ヨーク及び前記外周壁の間に延入し、前記ボイスコイルが前記第１ヨーク及び前記外周壁と半径方向間隙を維持するスピーカーアセンブリと、
前記能動振動板と各々前記気流集中管の軸方向両端に位置し、前記能動振動板が前記第１開口端に近く、前記受動振動板が前記第２開口端に近い受動振動板と、
を含むことを特徴とする気流集中管を具えたイヤフォン装置。
【請求項２】
前記気流集中管の第１開口端の管径が、第２開口端の管径より大きいことを特徴とする請求項１に記載の気流集中管を具えたイヤフォン装置。
【請求項３】
気流集中管の管径が、第１開口端から第２開口端に向けて線形漸縮を呈することを特徴とする請求項２に記載の気流集中管を具えたイヤフォン装置。
【請求項４】
気流集中管の管径が、第１開口端から第２開口端に向けて非線形漸縮を呈することを特徴とする請求項２に記載の気流集中管を具えたイヤフォン装置。
【請求項５】
前記気流集中管の前記第２開口端に複数の分流通路を設けており、前記分流通路が等角度で分布することを特徴とする請求項１に記載の気流集中管を具えたイヤフォン装置。
【請求項６】
前記第１ヨークは、内軸管を更に含み、前記内軸管が前記中央穴の軸方向に沿って延伸すると共に前記環状磁石の前記中央貫通孔内に挿通し、前記気流集中管が前記内軸管内に固定されることを特徴とする請求項１に記載の気流集中管を具えたイヤフォン装置。
【請求項７】
前記気流集中管を具えたイヤフォン装置は、分流器を更に含み、前記分流器が前記環状磁石の前記中央貫通孔内に収納され、前記気流集中管の第２開口端に近く、前記分流器に複数の分流通路が開設され、前記分流通路が等角度で分布ことを特徴とする請求項１に記載の気流集中管を具えたイヤフォン装置。
【請求項８】
前記第１ヨークは、内軸管を更に含み、前記内軸管が前記中央穴の軸方向に沿って延伸すると共に前記環状磁石の前記中央貫通孔内に挿通し、前記分流器が前記内軸管の末端に固定されることを特徴とする請求項７に記載の気流集中管を具えたイヤフォン装置。
【請求項９】
前記気流集中管は、固定具を更に含み、前記固定具が前記気流集中管を前記第１ヨーク上に固設することを特徴とする請求項１に記載の気流集中管を具えたイヤフォン装置。
【請求項１０】
前記受動振動板は、前記第２ヨークの前記天板上に固設され、前記能動振動板が前記第１ヨークの前記外周壁上に固設されることを特徴とする請求項１に記載の気流集中管を具えたイヤフォン装置。
【考案の詳細な説明】
【技術分野】
【０００１】
本考案は、イヤフォン分野に関し、特に、気流集中管を具えたイヤフォン装置に関する。
【背景技術】
【０００２】
従来のイヤフォンは、可動コイル形ユニットを通じて電気音響変換を行う。可動コイル形ユニットは、ボイスコイルと永久磁石と振動板とを含む。音声信号線で可聴周波信号をボイスコイルに伝送した時、ボイスコイルに電磁誘導を起こして磁界が発生し、電磁誘導で発生した磁界と永久磁石の磁界の相互作用により振動板を振動させることで、可聴周波信号を音波に変換してから出力する。
【０００３】
可聴周波信号は、低音域と高音域とを含み、低音域及び高音域が各々異なる周波数応答特性を有する。従来技術において、低音域及び高音域は、単一振動板の振動を通じて電気音響変換に達しているが、異なる周波数応答(ｒｅｓｐｏｎｓｅ)特性により、単一振動板だけを通じて明確に表現することが困難であり、よって音波に変換した時、容易にひずみが生じてしまい、音を鮮明に解析できないでいた。イヤフォン内に２個の可動コイル形ユニットを設け、また分頻電路を通じて、２個のユニットに各々高周波音波及び低周波音波を生じさせてこの問題を解決できたが、これは全体的な体積を大きくなり、既存のイヤフォンサイズに適していなかった。
【０００４】
このほかに、イヤフォン内の空気圧力が、振動板の振動に直接影響することで、周波数応答にも影響を及ぼしていた。イヤフォン内の空気圧力がイヤフォン外部より大きい時、振動板が振動した際、空気圧力が振動板の振動を制限し、振動板の振幅を縮減することで、解析する周波数帯の縮減も起きてしまう。
【考案の概要】
【考案が解決しようとする課題】
【０００５】
そこで、本考案は上記課題を解決し、より一層良好な音解析効果を提供し、同時に既存のイヤフォンサイズに適合させため、気流集中管を具えたイヤフォン装置を提供することを目的とする。
【課題を解決するための手段】
【０００６】
気流集中管を具えたイヤフォン装置は、環状磁石と第１ヨークと第２ヨークと気流集中管とスピーカーアセンブリと受動振動板とを含む。環状磁石は、中央貫通孔と第１磁極面と第２磁極面とを含み、第１磁極面と第２磁極面が異なる磁性を持ち、各々環状磁石の対向する両側に位置する。この実施例において、第１磁極面と第２磁極面は、軸方向に対向する両面となっているが、実際はこれに限られるものではない。第１ヨークが環状磁石の第１磁極面に連接し、第１ヨークに中央穴が開設され、中央穴が同軸的に中央貫通孔に対応する。第２ヨークは、天板と外周壁とを含み、天板が環状磁石の第２磁極面に連接し、天板が中央開口部を備え、中央開口部が同軸的に中央貫通孔に対応し、外周壁が天板の外周縁に周設される。
【０００７】
気流集中管は、環状磁石の中央貫通孔内に収納され、第１開口端と第２開口端とを含む。スピーカーアセンブリは、ボイスコイルと能動振動板とを含み、ボイスコイルが能動振動板上に構設され、軸方向に対応して第１ヨーク及び外周壁の間に延入し、ボイスコイルが第１ヨーク及び外周壁と半径方向間隙を維持する。受動振動板は能動振動板と各々気流集中管の軸方向両端に位置し、能動振動板が第１開口端に近く、受動振動板が第２開口端に近い。
【０００８】
一実施例において、気流集中管の第１開口端の管径が第２開口端の管径より大きい。気流集中管の管径は第１開口から第２開口に向けて縮減した時、気流合流の効果を奏することができ、更に気流流速を変更でき、比較的大きな空気の運動エネルギーで受動振動板を押動できる。好ましくは気流集中管の管径が第１開口端から第２開口端に向けて線形或いは非線形漸縮を呈する。
【０００９】
一実施例において、第１ヨークは、内軸管を更に含む。内軸管が中央穴の軸方向に沿って延伸すると共に環状磁石の中央貫通孔内に挿通し、気流集中管が内軸管内に固定される。
【００１０】
一実施例において、気流集中管の第２開口端に複数の分流通路を設け、分流通路が等角度で分布し、また受動振動板に向けて均等に配置され、受動振動板上の各箇所が受けた気流を均一にさせる。
【００１１】
一実施例において、気流集中管を具えたイヤフォン装置は、分流器を更に含む。分流器が環状磁石の中央貫通孔内に収納され、気流集中管の第２開口端に近く、分流器に複数の分流通路が開設され、分流通路が等角度で分布し、受動振動板に向けて均等に配置され、受動振動板上の各箇所が受けた気流を均一にさせる。つまり、気流集中管と分流器が一体成形とすることができる、或いは分けて設置することもできる。好ましくは、第１ヨークは内軸管を更に含み、内軸管が中央穴の軸方向に沿って延伸すると共に環状磁石の中央貫通孔内に挿通し、分流器が内軸管の末端に固定される。
【００１２】
一実施例において、気流集中管は固定具を更に含み、固定具が気流集中管を第１ヨーク上に固設する。気流集中管を第１ヨーク上に固設するため、固定具は、気流集中管の外縁に周設され、又は一個或いは複数の延伸部材とする。
【００１３】
一実施例において、受動振動板は、第２ヨークの天板上に固設され、能動振動板が第１ヨークの外周壁上に固設される。つまり、受動振動板と能動振動板が、各々気流集中管の両側に設けられ。ここで、第２ヨークの天板に位置する振動板を受動振動板とするが、ボイスコイル及び気流集中管を逆方向に設ける条件において、第１ヨークの外周壁上に固設される振動板を受動振動板とすることもできる。
【考案の効果】
【００１４】
上述の実施態様において、気流集中管を具えたイヤフォン装置は、気流集中管と能動振動板と受動振動板とを備える。１個の振動板を増やすだけで、２個の完全な可動コイル形ユニットを必要とせず、既存のイヤフォン装置のサイズ規格に適合できる。これ以外に、能動振動板で発生した気流が気流集中管を経由して集中した後で受動振動板の振動を押動させる。受動振動板で発生した気流は、更に気流集中管を経由して能動振動板側に戻ることで、能動振動板を押動し、同時に気流も受動振動板で発生した音波を伝達する。よって、受動振動板の音波は、能動振動板の解析に不足している音声周波数部分を補強でき、同時に気流が能動振動板を押動するため、能動振動板の振幅が増えることで、周波数アップの効果を奏する。
【図面の簡単な説明】
【００１５】
【図１】本考案に係る気流集中管を具えたイヤフォン装置の局部立体分解図である。
【図２Ａ】本考案に係る気流集中管を具えたイヤフォン装置の一つの角度から見た分解図である。
【図２Ｂ】本考案に係る気流集中管を具えたイヤフォン装置のもう一つの角度から見た分解図である。
【図３】本考案に係る気流集中管を具えたイヤフォン装置の断面図である。
【図４】本考案に係る気流集中管を具えたイヤフォン装置の別の実施例の断面図である。
【図５Ａ】本考案に係る気流集中管を具えたイヤフォン装置の作動を示す模式図である。
【図５Ｂ】本考案に係る気流集中管を具えたイヤフォン装置の作動を示す模式図である。
【図６】本考案に係る気流集中管を具えたイヤフォン装置の最低共振周波数図である。
【図７】本考案に係る調音材の別の実施例の立体図である。
【考案を実施するための形態】
【００１６】
図１、図２Ａ、図２Ｂ及び図３を参照すると、各々が本考案に係る気流集中管を具えたイヤフォン装置の局部立体分解図、本考案に係る気流集中管を具えたイヤフォン装置の一つの角度から見た分解図、本考案に係る気流集中管を具えたイヤフォン装置のもう一つの角度から見た分解図及び本考案に係る気流集中管を具えたイヤフォン装置の断面図である。図１、図２Ａ、図２Ｂ及び図３に示されるように気流集中管を具えたイヤフォン装置１００は、環状磁石２０と第１ヨーク３０と第２ヨーク４０と気流集中管５０とスピーカーアセンブリ６０と受動振動板７０とを含む。環状磁石２０、第１ヨーク３０、第２ヨーク４０、気流集中管５０、スピーカーアセンブリ６０及び受動振動板７０等の構成要素をスピーカーユニット２として組み立ててイヤフォンケーシング１の本体１１の収容空間１１１内に収容することができ、ケーシングカバー１３で保護される。
【００１７】
環状磁石２０は、中央貫通孔２１と第１磁極面２３と第２磁極面２５とを含む。第１磁極面２３と第２磁極面２５は、異なる磁性を持ち、例えば第１磁極面２３がＮ極、第２磁極面２５がＳ極とする。第１磁極面２３及び第２磁極面２５が各々環状磁石２０の対向する両側に位置し、この実施例において、第１磁極面２３及び第２磁極面２５が環状磁石２０の軸方向に対向する両側に位置するが、これは例示しただけであって、これに限られるものではない。
【００１８】
第１ヨーク３０は環状磁石２０の第１磁極面２３に連接し、第１ヨーク３０に中央穴３１が開設され、中央穴３１が同軸的に中央貫通孔２１に対応する。第１ヨーク３０は、円盤状とすることができ、その他の形状にすることもでき、例えばマッシュルーム状、傘状或いは漏斗状等である。本実施例において、第１ヨーク３０は内軸管３３と接触部３５とを含み、内軸管３３が中央穴３１の軸方向に沿って延伸すると共に環状磁石２０の中央貫通孔２１内に挿通する。接触部３５が環状磁石２０の第１磁極面２３と接触する。これ以外に、第１ヨーク３０がポールピースで、その磁性が第１磁極面２３の磁性と同一とする。
【００１９】
第２ヨーク４０は、天板４１と外周壁４３とを含み、天板４１が環状磁石２０の第２磁極面２５に連接する。天板４１は中央開口部４５を備え、中央開口部４５が同軸的に中央貫通孔２１に対応し、外周壁４３が天板４１の外周縁に周設される。ここで、第２ヨーク４０はポールピースで、その磁性が第２磁極面２５の磁性と同一とする。
【００２０】
気流集中管５０は、環状磁石２０の中央貫通孔２１内に収納され、第１開口端５１と第２開口端５３とを含む。好ましくは気流集中管５０が内軸管３３の中に固定される。気流集中管５０は、管状、円錐状或いはその他の形状とすることができる。図４を参照すると、本考案に係る気流集中管を具えたイヤフォン装置の別の実施例の断面図で、また同時に図３を参照してもらいたい。気流集中管５０の第１開口端５１の管径は、第２開口端５３の管径より大きいか又は等しい。図３に示されるように、気流集中管５０の第１開口端５１の管径は、第２開口端５３の管径より大きく、且つ第１開口端５１が第２開口端５３に向けて非線形漸縮を呈する。また図４に示されるように、気流集中管５０の第１開口端５１の管径は、第２開口端５３の管径より大きく、管径が第１開口端５１から第２開口端５３に向けて線形漸縮を呈する。この漸縮する管径は、第１開口端５１から入り込んだ空気を合流させ、空気の流速作用を増加させることができる。
【００２１】
好ましくは、気流集中管５０は、固定具５５を更に含み、固定具５５が気流集中管５０を第１ヨーク３０上に固設する。ここで、固定具５５は気流集中管５０の外縁から延伸、或いは気流集中管５０の外壁に周設され、気流集中管５０が傘状、マッシュルーム状、漏斗状等の形状を呈する。
【００２２】
スピーカーアセンブリ６０は、ボイスコイル６１と能動振動板６３とを含む。ボイスコイル６１が能動振動板６３上に構設される。図３、４に示すように、ボイスコイル６１は軸方向に対応して第１ヨーク３０及び外周壁４３の間に延入され、第１ヨーク３０及び外周壁４３といずれも半径方向間隙を維持する。この実施例において、低音振動板を能動振動板６３とし、ボイスコイル６１が第１リテーナリング６５を通じて能動振動板６３の内方に凹陥するリング６３１に構設され、また能動振動板６３の外方に凹陥するリング６３３は第２ヨーク４０上に構設されることができる。例えば、能動振動板６３が第２ヨーク４０の外周壁４３上に構設、又は能動振動板６３が第２ヨーク４０の外縁部４７上に構設され、外縁部４７が外周壁４３の外縁に周設される。
【００２３】
受動振動板７０は、能動振動板６３と各々気流集中管５０の軸方向両端に位置する。能動振動板６３は第１開口端５１に近く、受動振動板７０が第２開口端５３に近い。この実施例において、高音振動板を受動振動板７０とし、受動振動板の外方に凹陥するリング７１が第２リテーナリング７５を通じて第２ヨーク４０の天板４１の外側に構設される。
【００２４】
図５Ａ及び図５Ｂを参照すると、各々本考案に係る気流集中管を具えたイヤフォン装置の作動を示す模式図である。同時に図１、図２Ａ、図２Ｂ及び図３を参照し、図５Ａに示すように、ボイスコイル６１は音声信号線３及び回路基板４からの音源信号を受信した後で電磁誘導を起こし、第１ヨーク３０或いは環状磁石２０から外周壁４３までの磁力線と相互作用することで、能動振動板６３の振動を押動する。能動振動板６３の振動によって生じる背向気流は、気流集中管５０の第１開口端５１から入り込んだ後、蓄積及び加速の効果を生じ、更に第２開口端５３を経由して受動振動板７０を押動する。次に、図５Ｂに示すように、受動振動板７０が押動を受けた後で生じる気流は、更に第２開口端５３を経由して入り込み、第１開口端５１に向けて出力して能動振動板６３を押動する。これ以外に、受動振動板７０が押動を受けた後に生じた気流は、同時に受動振動板７０が発した音波を伝達し、音波が更に固定具５５のガイドを介して分散し、スピーカ発音の音響拡散を実現する。
【００２５】
図６を参照すると、本考案に係る気流集中管を具えたイヤフォン装置の最低共振周波数図である。図６に示すように、本実施例に係る気流集中管を具えたイヤフォン装置と気流集中管及び受動振動板を備えないイヤフォン装置を比較する。気流集中管及び受動振動板を備えないイヤフォン装置で測定された周波数−振幅曲線は、低周波数帯において第１波高値Ａを有し、また本実施例に係る気流集中管を具えたイヤフォン装置は、低周波数帯において第２波高値Ａ’を有する。試験の比較から分かるように、受動振動板、能動振動板の振動は動的平衡に達した後、最低共振周波数の波高値は低周波数帯へ移動することが見られ、つまり周波数アップ効果を奏する。ここで、主に受動振動板７０で生じた気流が能動振動板６３の振幅を増やすことで奏する効果である。これは、従来技術について、通常ヨーク後方に素子を設けるのは、内部圧力を増大させて振動板の振幅を減少することと明らかに異なる。
【００２６】
以上の実施例の配置方式は、例示したものだけであり、これに限られるものではく、図面内の実施形態の能動、受動型の配置を変更し、例えばボイスコイルを図面内の受動振動板７０の内方に凹陥するリング７３に構設し、ボイスコイル６１を取り除くと共に気流集中管５０を逆方向に設け、高音振動板を能動振動板とし、低音振動板を受動振動板とすることも本考案で包括しようとする実施形態である。
【００２７】
再度図２Ａ、図２Ｂ、図３及び図４を参照すると、気流集中管を具えたイヤフォン装置１００は、分流器８０を更に含む。分流器８０は、気流集中管５０との一体成形が可能で、気流集中管５０の第２開口端５３に位置、或いは気流集中管５０と独立して成形できる。図面において、分流器８０と気流集中管５０は独立して成形する。分流器８０が環状磁石２０の中央貫通孔２１内に収納され、気流集中管５０の第２開口端５３に近い。分流器８０に複数の分流通路８１が開設され、分流通路８１が等角度で分布し、受動振動板７０に向けて均等に配置され、受動振動板７０上の各箇所が受けた気流を均一にさせる。好ましくは、分流器８０が内軸管３３の末端に固定される。また分流器８０と気流集中管５０との一体成形が可能な場合、分流通路８１は気流集中管５０の第２開口端５３に等角度で分布される。
【００２８】
再度図２Ａ、図２Ｂ、図３及び図４を参照すると、気流集中管を具えたイヤフォン装置１００は、保護カバー９１と保護ネット９３とを更に含む。保護カバー９１は第２ヨーク４０の天板４１の外側に構設され、受動振動板７０が天板４１及び保護カバー９１の間に位置する。保護ネット９３は第２ヨーク４０とが組み立てるように連接され、例えば、外縁部４７と組み立てるように連接し、保護カバー９１の反対側に位置し、能動振動板６３が第２ヨーク４０及び保護ネット９３の間に位置する。
【００２９】
再度図２Ａ、図２Ｂを参照すると、第２ヨーク４０の外縁部４７にも複数の空気孔４７１が開設され、空気孔４７１は異なる形状、サイズ及び分布を有することができる。空気孔４７１は、収容空間１１１の前後側の空気圧力を調整させるために用いられる。好ましくは、更に第２ヨーク４０上に少なくとも１つの調音材４９を貼付することができる。調音材４９は図２Ｂに示すように、１枚式とし、複数の空気孔４７１に貼付できる。図７に示すように調音材４９を単一の対応する空気孔４７１上に貼付もできる。調音材４９は、前後側の空気の出入り量を調整して収容空間１１１の前後側の空気圧力を調整するために用いられ、これを通じて能動振動板６３、受動振動板７０の振幅、及び気流集中管を具えたイヤフォン装置１００の周波数応答を調整する。
【産業上の利用可能性】
【００３０】
上記実施形態をまとめると、気流集中管を具えたイヤフォン装置１００は、気流集中管５０と能動振動板６３と受動振動板７０とを備える。１個の振動板を増やすだけで、２個の完全な可動コイル形ユニットを必要とせず、既存のイヤフォン装置のサイズ規格に適合できる。これ以外に、能動振動板６３で発生した気流が気流集中管５０を経由して集中した後で受動振動板７０の振動を押動させる。受動振動板７０で発生した気流は、音波を伝達して能動振動板６３側に戻り、能動振動板６３の解析に不足している音声周波数部分を補強する以外に、同時に気流も能動振動板６３を押動するため、能動振動板６３の振幅が増えることで、周波数アップの効果を奏する。このように、可聴周波数解析の補強作用を達成する以外に、更に過去振動板に素子を設けると空気圧力を増大させて振動板の振幅を減らすと考えられていた技術的偏見を克服することができた。
【００３１】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００３２】
１・・・イヤフォンケーシング
１００・・・気流集中管を具えたイヤフォン装置
１１・・・本体
１１１・・・収容空間
１３・・・ケーシングカバー
２・・・スピーカーユニット
２０・・・環状磁石
２１・・・中央貫通孔
２３・・・第１磁極面
２５・・・第２磁極面
３・・・音声信号線
３０・・・第１ヨーク
３１・・・中央穴
３３・・・内軸管
３５・・・接触部
４・・・回路基板
４０・・・第２ヨーク
４１・・・天板
４３・・・外周壁
４５・・・中央開口部
４７・・・外縁部
４７１・・・空気孔
４９・・・調音材
５０・・・気流集中管
５１・・・第１開口端
５３・・・第２開口端
５５・・・固定具
６０・・・スピーカーアセンブリ
６１・・・ボイスコイル
６３・・・能動振動板
６３１・・・内方に凹陥するリング
６３３・・・外方に凹陥するリング
６５・・・第１リテーナリング
７０・・・受動振動板
７１・・・外方に凹陥するリング
７３・・・内方に凹陥するリング
７５・・・第２リテーナリング
８０・・・分流器
８１・・・分流通路
９１・・・保護カバー
９３・・・保護ネット
【図１】
0003205787.tif 000003
【図２Ａ】
0003205787.tif 000004
【図２Ｂ】
0003205787.tif 000005
【図３】
0003205787.tif 000006
【図４】
0003205787.tif 000007
【図５Ａ】
0003205787.tif 000008
【図５Ｂ】
0003205787.tif 000009
【図６】
0003205787.tif 000010
【図７】
0003205787.tif 000011